(57)【特許請求の範囲】
【請求項１】
ソフトハンドオーバが適用される第１個別チャネルと、ハードハンドオーバが適用される第２個別チャネルと、が存在する無線通信システムにおいて使用される送信電力制御方法であって、
第１個別チャネルがソフトハンドオーバ状態にない場合は、第１個別チャネルを介して送信される第１個別チャネル用のＴＰＣコマンドに従って第１個別チャネルおよび第２個別チャネル双方に対する送信電力制御を行って、第１個別チャネルの送信電力制御と第２個別チャネルの送信電力制御とを同一のＴＰＣコマンドに従って行う一方、
第１個別チャネルがソフトハンドオーバ状態にある場合は、第１個別チャネルを介して送信される第１個別チャネル用のＴＰＣコマンドに従って第１個別チャネルに対する送信電力制御を行うと共に、第２個別チャネルを介して送信される第２個別チャネル用のＴＰＣコマンドに従って第２個別チャネルに対する送信電力制御を行って、第１個別チャネルの送信電力制御と第２個別チャネルの送信電力制御とをそれぞれ独立して行う、
ことを特徴とする送信電力制御方法。
【請求項２】
第１個別チャネルがソフトハンドオーバ状態にある場合とない場合とで、第２個別チャネルの受信ＳＩＲを一定に保つ、
ことを特徴とする請求項１記載の送信電力制御方法。
【請求項３】
第１個別チャネルのソフトハンドオーバ開始後に、第２個別チャネルを介した第２個別チャネル用のＴＰＣコマンドの送信を開始して、第１個別チャネルがソフトハンドオーバ状態にある場合だけ、第２個別チャネル用のＴＰＣコマンドを送信する、
ことを特徴とする請求項１記載の送信電力制御方法。
【請求項４】
ソフトハンドオーバが適用される第１個別チャネルと、ハードハンドオーバが適用される第２個別チャネルと、が存在する無線通信システムにおいて使用される無線通信装置であって、
第１個別チャネルがソフトハンドオーバ状態にあるか否か判定する判定手段と、
前記判定手段によって第１個別チャネルがソフトハンドオーバ状態にないと判定された場合は、受信信号から第１個別チャネル用のＴＰＣコマンドだけを抽出する一方、
前記判定手段によって第１個別チャネルがソフトハンドオーバ状態にあると判定された場合は、受信信号から第１個別チャネル用のＴＰＣコマンドおよび第２個別チャネル用のＴＰＣコマンドの双方を抽出する抽出手段と、
前記判定手段によって第１個別チャネルがソフトハンドオーバ状態にないと判定された場合は、前記抽出手段によって抽出された第１個別チャネル用のＴＰＣコマンドに従って第１個別チャネルおよび第２個別チャネル双方に対する送信電力制御を行って、第１個別チャネルの送信電力制御と第２個別チャネルの送信電力制御とを同一のＴＰＣコマンドに従って行う一方、
前記判定手段によって第１個別チャネルがソフトハンドオーバ状態にあると判定された場合は、前記抽出手段によって抽出された第１個別チャネル用のＴＰＣコマンドに従って第１個別チャネルに対する送信電力制御を行うと共に、前記抽出手段によって抽出された第２個別チャネル用のＴＰＣコマンドに従って第２個別チャネルに対する送信電力制御を行って、第１個別チャネルの送信電力制御と第２個別チャネルの送信電力制御とをそれぞれ独立して行う制御手段と、
を具備することを特徴とする無線通信装置。
【請求項５】
ソフトハンドオーバが適用される第１個別チャネルと、ハードハンドオーバが適用される第２個別チャネルと、が存在する無線通信システムにおいて使用される無線通信装置であって、
第１個別チャネルがソフトハンドオーバ状態にあるか否か判定する判定手段と、
前記判定手段によって第１個別チャネルがソフトハンドオーバ状態にないと判定された場合は、第１個別チャネルのＳＩＲだけを測定する一方、
前記判定手段によって第１個別チャネルがソフトハンドオーバ状態にあると判定された場合は、第１個別チャネルおよび第２個別チャネル双方のＳＩＲを測定する測定手段と、
前記判定手段によって第１個別チャネルがソフトハンドオーバ状態にないと判定された場合は、前記測定手段によって測定された第１個別チャネルのＳＩＲと目標ＳＩＲとの比較結果に基づいて第１個別チャネル用のＴＰＣコマンドだけを作成する一方、
前記判定手段によって第１個別チャネルがソフトハンドオーバ状態にあると判定された場合は、前記測定手段によって測定された第１個別チャネルのＳＩＲと目標ＳＩＲとの比較結果に基づいて第１個別チャネル用のＴＰＣコマンドを作成すると共に、前記測定手段によって測定された第２個別チャネルのＳＩＲと目標ＳＩＲとの比較結果に基づいて第２個別チャネル用のＴＰＣコマンドを作成する作成手段と、
前記作成手段によって作成された第１個別チャネル用のＴＰＣコマンドおよび第２個別チャネル用のＴＰＣコマンドの一方または双方を送信信号に含めて送信する送信手段と、
を具備することを特徴とする無線通信装置。
【請求項６】
請求項４または請求項５記載の無線通信装置を搭載することを特徴とする通信端末装置。
【請求項７】
請求項４または請求項５記載の無線通信装置を搭載することを特徴とする基地局装置。
【発明の詳細な説明】
【０００１】
【発明の属する技術分野】
本発明は、送信電力制御方法および無線通信装置に関する。
【０００２】
【従来の技術】
無線通信システムの分野において、高速大容量な下りチャネルを複数の通信端末が共有し、下り回線で高速パケット伝送を行うＨＳＤＰＡ（Ｈｉｇｈ  Ｓｐｅｅｄ  Ｄｏｗｎｌｉｎｋ  Ｐａｃｋｅｔ  Ａｃｃｅｓｓ）が提案されている。また、最近、上り回線のパケット伝送速度を高速化するための技術（この技術を、以下、本明細書中ではＦａｓｔ−ＵＬ（Ｆａｓｔ  −  Ｕｐｌｉｎｋ）という）が検討されている。ＨＳＤＰＡでは、ＨＳ−ＰＤＳＣＨ（Ｈｉｇｈ  Ｓｐｅｅｄ  −  Ｐｈｙｓｉｃａｌ  Ｄｏｗｎｌｉｎｋ  Ｓｈａｒｅｄ  Ｃｈａｎｎｅｌ）、Ａ−ＤＰＣＨ（Ａｓｓｏｃｉａｔｅｄ  −  Ｄｅｄｉｃａｔｅｄ  Ｐｈｙｓｉｃａｌ  Ｃｈａｎｎｅｌ）、ＨＳ−ＤＰＣＣＨ（Ｈｉｇｈ  Ｓｐｅｅｄ  −  Ｄｅｄｉｃａｔｅｄ  Ｐｈｙｓｉｃａｌ  Ｃｏｎｔｒｏｌ  Ｃｈａｎｎｅｌ）等の複数のチャネルが用いられる。また、Ｆａｓｔ−ＵＬでも同様に、ＨＳ−ＰＵＳＣＨ（Ｈｉｇｈ  Ｓｐｅｅｄ  −  Ｐｈｙｓｉｃａｌ  Ｕｐｌｉｎｋ  Ｓｈａｒｅｄ  Ｃｈａｎｎｅｌ）、Ａ−ＤＰＣＨ、ＨＳ−ＤＰＣＣＨ等の複数のチャネルが用いられると考えられる。
【０００３】
ＨＳ−ＰＤＳＣＨは、パケットの伝送に使用される下り方向の共有チャネルである。ＨＳ−ＰＵＳＣＨは、パケットの伝送に使用される上り方向の共有チャネルである。Ａ−ＤＰＣＨは、共有チャネルに付随する、上り方向または下り方向の個別付随チャネルであり、パイロット信号やＴＰＣ（Ｔｒａｎｓｍｉｓｓｉｏｎ  Ｐｏｗｅｒ  Ｃｏｎｔｒｏｌ）コマンドおよび通信を維持するための制御信号等が伝送される。ＨＳ−ＤＰＣＣＨは、上り方向または下り方向の個別制御チャネルであり、ＡＣＫ信号あるいはＮＡＣＫ信号、ＣＱＩ（Ｃｈａｎｎｅｌ  Ｑｕａｌｉｔｙ  Ｉｎｄｉｃａｔｏｒ）信号等、共有チャネルを制御するための信号が伝送される。なお、ＡＣＫ信号とは、基地局また通信端末から送信された高速パケットが、通信端末または基地局において正しく復調できたことを示す信号であり、ＮＡＣＫ信号とは、基地局また通信端末から送信された高速パケットが、通信端末または基地局において正しく復調できなかったことを示す信号である。また、ＣＱＩは、回線品質に基づいて作成される信号であり、例えば、パケットの変調方式、ブロックサイズ、送信電力調節値等の組み合わせを示す信号である。ＨＳＤＰＡでは、通信端末は、このＣＱＩを使用して、自分が望む変調方式、ブロックサイズ、送信電力調節値等を通信相手に通知する。Ｆａｓｔ−ＵＬでのＣＱＩも回線品質に基づいて作成される信号ではあるが、その具体的な内容については決まっていない。
【０００４】
なお、Ｆａｓｔ−ＵＬでは、Ａ−ＤＰＣＨ、ＨＳ−ＤＰＣＣＨ共に、上り方向および下り方向の双方が存在し、上り方向のＨＳ−ＤＰＣＣＨを介してＣＱＩが伝送され、下り方向のＨＳ−ＤＰＣＣＨを介してＡＣＫ信号／ＮＡＣＫ信号が伝送される。これに対し、ＨＳＤＰＡでは、Ａ−ＤＰＣＨは上り方向および下り方向の双方が存在するが、ＨＳ−ＤＰＣＣＨは上り方向しか存在せず、上り方向のＨＳ−ＤＰＣＣＨを介してＣＱＩとＡＣＫ信号／ＮＡＣＫ信号が伝送される。また、Ａ−ＤＰＣＨにはソフトハンドオーバ（ＳＨＯ）が適用される。これに対し、ＨＳ−ＰＤＳＣＨ、ＨＳ−ＰＵＳＣＨおよびＨＳ−ＤＰＣＣＨにはハードハンドオーバ（ＨＨＯ）が適用され、ＨＳ−ＰＤＳＣＨ、ＨＳ−ＰＵＳＣＨおよびＨＳ−ＤＰＣＣＨは常に１つの基地局だけと接続される。また、ＨＳ−ＰＤＳＣＨやＨＳ−ＰＵＳＣＨがＨＨＯするタイミングと、ＨＳ−ＤＰＣＣＨがＨＨＯするタイミングは同じである。
【０００５】
以下、Ｆａｓｔ−ＵＬを例に挙げ、ＨＳ−ＤＰＣＣＨの送信電力制御について図６〜図８を用いて説明する。図６は、Ａ−ＤＰＣＨがＳＨＯ状態にない場合を示し、図７および図８は、Ａ−ＤＰＣＨがＳＨＯ状態にある場合を示す。ここで、Ａ−ＤＰＣＨがＳＨＯ状態にない場合とは、通信端末が１つの基地局との間だけでＡ−ＤＰＣＨを接続している状態にある場合であり、Ａ−ＤＰＣＨがＳＨＯ状態にある場合とは、通信端末が複数の基地局との間で同時にＡ−ＤＰＣＨを接続している状態にある場合である。
【０００６】
図６に示すように、Ａ−ＤＰＣＨの送信電力は、一般的に良く知られているクローズドループ送信電力制御によって、ＴＰＣコマンドに従って、Ａ−ＤＰＣＨの受信ＳＩＲが目標ＳＩＲとなるように制御される。一方、ＨＳ−ＤＰＣＣＨについては、Ａ−ＤＰＣＨのＴＰＣコマンドに従って、Ａ−ＤＰＣＨと同様の送信電力制御がなされる。これにより、Ａ−ＤＰＣＨがＳＨＯ状態にない場合には、ＨＳ−ＤＰＣＣＨの受信ＳＩＲは所要ＳＩＲを満たすことができる。
【０００７】
通信端末が基地局１から基地局２の方へ移動すると、通信端末は基地局１との間および基地局２との間の双方でＡ−ＤＰＣＨを接続し、Ａ−ＤＰＣＨがＳＨＯ状態になる。そして、Ａ−ＤＰＣＨがＳＨＯ状態にあるとき、ＨＨＯが適用されるＨＳ−ＤＰＣＣＨの送信電力制御は以下のようにして行われる。
【０００８】
まず、図７を用いて、ＨＳ−ＤＰＣＣＨの上り方向の送信電力制御について説明する。Ａ−ＤＰＣＨがＳＨＯ状態になると、基地局１および基地局２の双方が、通信端末から送信されたＡ−ＤＰＣＨ信号を受信する。基地局１は、基地局１での受信ＳＩＲが目標ＳＩＲになるようにＴＰＣコマンドを作成して通信端末へ送信する。また、基地局２は、基地局２での受信ＳＩＲが目標ＳＩＲになるようにＴＰＣコマンドを作成して通信端末へ送信する。通信端末は、受信した複数のＴＰＣコマンドのすべてが送信電力を上げることを指示するＴＰＣコマンドであれば、Ａ−ＤＰＣＨの送信電力を上げ、受信した複数のＴＰＣコマンドのうち１つでも送信電力を下げることを指示するＴＰＣコマンドであれば、Ａ−ＤＰＣＨの送信電力を下げる。よって、基地局１から送信電力を上げることを指示するＴＰＣコマンドが送信され、基地局２から送信電力を下げることを指示するＴＰＣコマンドが送信された場合は、通信端末は、Ａ−ＤＰＣＨ信号の送信電力を下げる。ＨＳ−ＤＰＣＣＨの送信電力はＡ−ＤＰＣＨの送信電力と同じように制御されるため、Ａ−ＤＰＣＨ信号の送信電力が下げられたことに伴い、図７に示すように、ＨＳ−ＤＰＣＣＨ信号の送信電力も下げられる。
【０００９】
ここで、上り方向のＡ−ＤＰＣＨについては、Ａ−ＤＰＣＨがＳＨＯ状態にある場合は、基地局１で受信されたＡ−ＤＰＣＨ信号と基地局２で受信されたＡ−ＤＰＣＨ信号とが制御局において選択合成される。このため、上記のように、Ａ−ＤＰＣＨの送信電力が下げられた場合でも、制御局では上り方向のＡ−ＤＰＣＨのＳＩＲは所要ＳＩＲを満たすため、特に問題ない。
【００１０】
これに対し、ＨＨＯが適用されるＨＳ−ＤＰＣＣＨは、Ａ−ＤＰＣＨがＳＨＯ状態にある場合でも、いずれか１つの基地局との間でしか接続されない。このため、上記のように、上り方向のＡ−ＤＰＣＨの送信電力が下げられたことに伴い上り方向のＨＳ−ＤＰＣＣＨの送信電力も下げられると、上り方向のＨＳ−ＤＰＣＣＨのＳＩＲが所要ＳＩＲを満たさなくなってしまうことがある。これを防ぐためには、ＨＳ−ＤＰＣＣＨの送信電力を、Ａ−ＤＰＣＨの送信電力にオフセットを加えた電力に設定することが考えられる。
【００１１】
次に、図８を用いて、ＨＳ−ＤＰＣＣＨの下り方向の送信電力制御について説明する。Ａ−ＤＰＣＨがＳＨＯ状態になると、通信端末は、基地局１および基地局２の双方から送信されたＡ−ＤＰＣＨ信号を受信する。通信端末は、基地局１から送信されたＡ−ＤＰＣＨ信号と基地局２から送信されたＡ−ＤＰＣＨ信号とを合成し、その合成した信号の受信ＳＩＲが目標ＳＩＲになるようにＴＰＣコマンドを作成する。そして、同一のＴＰＣコマンドを基地局１および基地局２の双方へ送信する。
【００１２】
ここで、通信端末において、基地局１から送信されたＡ−ＤＰＣＨ信号だけでは受信ＳＩＲが目標ＳＩＲ未満となる場合であっても、合成した信号の受信ＳＩＲが目標ＳＩＲ以上となる場合には、図８に示すように、送信電力を下げることを指示するＴＰＣコマンドが送信される。ＨＳ−ＤＰＣＣＨの送信電力はＡ−ＤＰＣＨの送信電力と同じように制御されるため、基地局１では、ＴＰＣコマンドに従ってＡ−ＤＰＣＨ信号の送信電力が下げられたことに伴い、図８に示すように、ＨＳ−ＤＰＣＣＨ信号の送信電力も下げられる。
【００１３】
ＨＨＯが適用されるＨＳ−ＤＰＣＣＨは、Ａ−ＤＰＣＨがＳＨＯ状態にある場合でも、いずれか１つの基地局との間でしか接続されない。このため、上記のように、下り方向のＡ−ＤＰＣＨの送信電力が下げられたことに伴い下り方向のＨＳ−ＤＰＣＣＨの送信電力も下げられると、通信端末において、下り方向のＨＳ−ＤＰＣＣＨのＳＩＲが所要ＳＩＲを満たさなくなってしまうことがある。これを防ぐためには、上記同様、ＨＳ−ＤＰＣＣＨの送信電力を、Ａ−ＤＰＣＨの送信電力にオフセットを加えた電力に設定することが考えられる。
【００１４】
【発明が解決しようとする課題】
しかしながら、上記のように、ＨＳ−ＤＰＣＣＨの送信電力をＡ−ＤＰＣＨの送信電力にオフセットを加えた電力に設定すると、Ａ−ＤＰＣＨがＳＨＯ状態にない場合や、Ａ−ＤＰＣＨがＳＨＯ状態にあるが一方の基地局との通信で十分なＳＩＲが得られている場合には、ＨＳ−ＤＰＣＣＨの送信電力が過剰になる。ＨＳ−ＤＰＣＣＨの送信電力が過剰になると、有限な無線リソースである送信電力を余計に消費してシステムスループットを低下させてしてしまうばかりでなく、ＨＳ−ＤＰＣＣＨが他のチャネルに与える干渉が大きくなってしまいシステム容量を減少させてしまう。なお、この課題は、Ｆａｓｔ−ＵＬでだけではなく、ＨＳＤＰＡにおいても同様に生じる課題である。
【００１５】
本発明はかかる点に鑑みてなされたものであり、ＳＨＯが適用されるＡ−ＤＰＣＨとＨＨＯが適用されるＨＳ−ＤＰＣＣＨとが存在する無線通信システムにおいて、ＨＳ−ＤＰＣＣＨに対して適切な送信電力制御を行って、ＨＳ−ＤＰＣＣＨの送信電力が過剰にならないようにするとともに、ＨＳ−ＤＰＣＣＨの受信ＳＩＲを所要ＳＩＲに保つことができる送信電力制御方法および無線通信装置を提供することを目的とする。
【００１６】
【課題を解決するための手段】
本発明は、上記課題を解決し、目的を達成するために、ＳＨＯが適用されるＡ−ＤＰＣＨとＨＨＯが適用されるＨＳ−ＤＰＣＣＨとが存在する無線通信システムにおいて、Ａ−ＤＰＣＨがＳＨＯ状態にない場合は、Ａ−ＤＰＣＨを介して送信されるＡ−ＤＰＣＨ用のＴＰＣコマンドに従ってＡ−ＤＰＣＨおよびＨＳ−ＤＰＣＣＨ双方に対する送信電力制御を行う一方、Ａ−ＤＰＣＨがＳＨＯ状態にある場合は、Ａ−ＤＰＣＨを介して送信されるＡ−ＤＰＣＨ用のＴＰＣコマンドに従ってＡ−ＤＰＣＨに対する送信電力制御を行うと共に、ＨＳ−ＤＰＣＣＨを介して送信されるＨＳ−ＤＰＣＣＨ用のＴＰＣコマンドに従ってＨＳ−ＤＰＣＣＨに対する送信電力制御を行う。
【００１７】
これにより、ＳＨＯが適用されるＡ−ＤＰＣＨとＨＨＯが適用されるＨＳ−ＤＰＣＣＨとが存在する無線通信システムにおいて、Ａ−ＤＰＣＨがＳＨＯ状態にある場合でも、ＨＳ−ＤＰＣＣＨに対して適切な送信電力制御を行うことができる。
【００１８】
【発明の実施の形態】
図１は、本発明の一実施の形態に係る無線通信装置の構成を示すブロック図である。この無線通信装置は、移動体通信システムにおいて、通信端末装置や基地局装置に搭載されるものである。また、この無線通信装置は、Ｆａｓｔ−ＵＬやＨＳＤＰＡが行われる移動体通信システムにおいて使用されるものである。
【００１９】
ＨＯ（ハンドオーバ）判定部１１は、Ａ−ＤＰＣＨがＳＨＯ状態にあるか否か判定し、判定結果をＴＰＣコマンド抽出部１７、ＳＩＲ測定部１８、ＴＰＣコマンド作成部１９、送信無線部２３に入力する。なお、Ａ−ＤＰＣＨがＳＨＯ状態にあるか否かの判定方法については後述する。
【００２０】
受信部１００は、受信無線部１３、逆拡散部１４、復調部１５、復号部１６から構成される。
【００２１】
受信無線部１３は、アンテナ１２を介して受信された信号に対してダウンコンバート、ＡＧＣ（Ａｕｔｏ  Ｇａｉｎ  Ｃｏｎｔｒｏｌ）、Ａ／Ｄ変換等の処理を施す。逆拡散部１４は、受信信号に対して、それぞれのチャネルに割り当てられている拡散コードで逆拡散処理を施す。復調部１５は、逆拡散後のＱＰＳＫ等の信号を復調する。復調された信号は、復号部１６およびＳＩＲ測定部１８に入力される。復号部１６は、復調された受信信号に対して誤り訂正復号やＣＲＣ（Ｃｙｃｌｉｃ  Ｒｅｄｕｎｄａｎｃｙ  Ｃｈｅｃｋ）を行って受信信号を復号する。これにより受信データ（ビット列）が得られる。受信データは、ＴＰＣコマンド抽出部１７に入力される。
【００２２】
ＴＰＣコマンド抽出部１７は、ＨＯ判定部１１での判定結果に基づいて、受信データのタイムスロットに格納されているＴＰＣコマンドを抽出する。ＴＰＣコマンド抽出部１７は、ＨＯ判定部１１によってＡ−ＤＰＣＨがＳＨＯ状態にないと判定された場合は、Ａ−ＤＰＣＨの受信データからＡ−ＤＰＣＨ用のＴＰＣコマンドを抽出する。一方、ＨＯ判定部１１によってＡ−ＤＰＣＨがＳＨＯ状態にあると判定された場合は、Ａ−ＤＰＣＨがＳＨＯ状態にない場合に加えて、さらに、ＨＳ−ＤＰＣＣＨの受信データからＨＳ−ＤＰＣＣＨ用のＴＰＣコマンドも抽出する。抽出されたＴＰＣコマンドは、送信無線部２３に入力される。
【００２３】
ＳＩＲ測定部１８は、ＨＯ判定部１１での判定結果に基づいて、受信信号のうちパイロット系列のシンボルのＳＩＲを測定する。ＳＩＲ測定部１８は、ＨＯ判定部１１によってＡ−ＤＰＣＨがＳＨＯ状態にないと判定された場合は、Ａ−ＤＰＣＨの受信信号のＳＩＲを測定する。一方、ＨＯ判定部１１によってＡ−ＤＰＣＨがＳＨＯ状態にあると判定された場合は、Ａ−ＤＰＣＨがＳＨＯ状態にない場合に加えて、さらに、ＨＳ−ＤＰＣＣＨの受信信号のＳＩＲも測定する。測定されたＳＩＲは、ＴＰＣコマンド作成部１９に入力される。
【００２４】
ＴＰＣコマンド作成部１９は、ＨＯ判定部１１での判定結果に基づいて、ＴＰＣコマンドを作成する。ＴＰＣコマンド作成部１９は、ＨＯ判定部１１によってＡ−ＤＰＣＨがＳＨＯ状態にないと判定された場合は、Ａ−ＤＰＣＨのＳＩＲと目標ＳＩＲとを比較し、その比較結果に基づいてＡ−ＤＰＣＨ用のＴＰＣコマンドを作成する。一方、ＨＯ判定部１１によってＡ−ＤＰＣＨがＳＨＯ状態にあると判定された場合は、Ａ−ＤＰＣＨがＳＨＯ状態にない場合に加えて、さらに、ＨＳ−ＤＰＣＣＨのＳＩＲと目標ＳＩＲとを比較し、その比較結果に基づいてＨＳ−ＤＰＣＣＨ用のＴＰＣコマンドも作成する。なお、測定されたＳＩＲが目標ＳＩＲ以上であれば送信電力を下げること（Ｄｏｗｎ）を指示するＴＰＣコマンドが作成され、測定されたＳＩＲが目標ＳＩＲ未満であれば送信電力を上げること（Ｕｐ）を指示するＴＰＣコマンドが作成される。作成されたＴＰＣコマンドは、符号化部２０に入力される。
【００２５】
送信部２００は、符号化部２０、変調部２１、拡散部２２、送信無線部２３から構成される。
【００２６】
符号化部２０は、送信データ（ビット列）に対して畳み込み符号化、ＣＲＣ符号化を行って送信データを符号化し、複数のタイムスロットから構成される送信フレームを構成する。このとき、Ａ−ＤＰＣＨのタイムスロットにＡ−ＤＰＣＨ用のＴＰＣコマンドを埋め込む。また、ＴＰＣコマンド作成部１９からＨＳ−ＤＰＣＣＨ用のＴＰＣコマンドも入力された場合には、さらに、ＨＳ−ＤＰＣＣＨのタイムスロットにＨＳ−ＤＰＣＣＨ用のＴＰＣコマンドを埋め込む。
【００２７】
変調部２１は、送信データに対してＱＰＳＫ等の変調処理を施す。拡散部２２は、変調後の送信信号に対して、それぞれのチャネルに割り当てられている拡散コードで拡散処理を施す。
【００２８】
送信無線部２３は、拡散後の送信信号に対してＤ／Ａ変換、送信電力制御、アップコンバート等の処理を施した後、送信信号をアンテナ１２を介して送信する。この際、送信無線部２３は、ＨＯ判定部１１での判定結果に基づいて、送信電力制御を行う。
【００２９】
ＨＯ判定部１１によってＡ−ＤＰＣＨがＳＨＯ状態にないと判定された場合は、送信無線部２３は、Ａ−ＤＰＣＨの送信電力をＡ−ＤＰＣＨ用のＴＰＣコマンドに従って制御すると共に、ＨＳ−ＤＰＣＣＨの送信電力をＡ−ＤＰＣＨの送信電力と同じ電力、または、Ａ−ＤＰＣＨの送信電力に所定のオフセットを加えた電力に制御する。つまり、Ａ−ＤＰＣＨがＳＨＯ状態にない場合には、ＨＳ−ＤＰＣＣＨの送信電力も、Ａ−ＤＰＣＨ用のＴＰＣコマンドに従って制御されることになる。よって、Ａ−ＤＰＣＨがＳＨＯ状態にない場合には、ＨＳ−ＤＰＣＣＨの送信電力変化は、Ａ−ＤＰＣＨの送信電力変化に追従したものとなる。
【００３０】
一方、ＨＯ判定部１１によってＡ−ＤＰＣＨがＳＨＯ状態にあると判定された場合は、送信無線部２３は、Ａ−ＤＰＣＨの送信電力をＡ−ＤＰＣＨ用のＴＰＣコマンドに従って制御すると共に、ＨＳ−ＤＰＣＣＨの送信電力をＨＳ−ＤＰＣＣＨ用のＴＰＣコマンドに従って制御する。つまり、Ａ−ＤＰＣＨとＨＳ−ＤＰＣＣＨとは、それぞれ異なるＴＰＣコマンドに従って、それぞれ独立して送信電力制御される。よって、Ａ−ＤＰＣＨがＳＨＯ状態にある場合には、Ａ−ＤＰＣＨの送信電力変化とＨＳ−ＤＰＣＣＨの送信電力変化とは異なるものになる。
【００３１】
なお、上記構成の無線通信装置が基地局装置に搭載される場合は、自局が通信している全通信端末装置分の処理を並行して行う。
【００３２】
次に、Ｆａｓｔ−ＵＬを例に挙げ、本実施の形態でのＨＳ−ＤＰＣＣＨの送信電力制御について説明する。なお、Ａ−ＤＰＣＨの送信電力制御については従来と同様のため説明を省略する。
【００３３】
Ａ−ＤＰＣＨがＳＨＯ状態にない場合は、ＨＳ−ＤＰＣＣＨの送信電力は、Ａ−ＤＰＣＨの送信電力と同じ電力、または、Ａ−ＤＰＣＨの送信電力に所定のオフセットを加えた電力に制御される。つまり、Ａ−ＤＰＣＨがＳＨＯ状態にない場合には、ＨＳ−ＤＰＣＣＨの送信電力は、Ａ−ＤＰＣＨを介して送信されるＡ−ＤＰＣＨ用のＴＰＣコマンドに従って制御される。これにより、Ａ−ＤＰＣＨがＳＨＯ状態にない場合には、ＨＳ−ＤＰＣＣＨの受信ＳＩＲは所要ＳＩＲを満たすことができる。
【００３４】
一方、Ａ−ＤＰＣＨがＳＨＯ状態にあるとき、ＨＨＯが適用されるＨＳ−ＤＰＣＣＨの送信電力制御は、Ａ−ＤＰＣＨの送信電力制御と独立して行われる。つまり、Ａ−ＤＰＣＨがＳＨＯ状態にある場合は、ＨＳ−ＤＰＣＣＨの送信電力は、ＨＳ−ＤＰＣＣＨを介して送信されるＨＳ−ＤＰＣＣＨ用のＴＰＣコマンドに従って制御される。図２および図３は、Ａ−ＤＰＣＨがＳＨＯ状態にある場合を示す。
【００３５】
まず、図２を用いて、ＨＳ−ＤＰＣＣＨの上り方向の送信電力制御について説明する。Ａ−ＤＰＣＨがＳＨＯ状態になると、基地局１は通信端末に対して、下り方向のＨＳ−ＤＰＣＣＨを介してＨＳ−ＤＰＣＣＨ用のＴＰＣコマンドの送信を開始する。このＴＰＣコマンドに従って、通信端末は、上り方向のＨＳ−ＤＰＣＣＨの送信電力を制御する。
【００３６】
例えば、図２のように、Ａ−ＤＰＣＨについて、基地局１から送信電力を上げることを指示するＴＰＣコマンドが送信され、基地局２から送信電力を下げることを指示するＴＰＣコマンドが送信された場合は、通信端末は、Ａ−ＤＰＣＨ信号の送信電力を下げる。Ａ−ＤＰＣＨがＳＨＯ状態である場合は、基地局１からはＡ−ＤＰＣＨ用のＴＰＣコマンドとは独立してＨＳ−ＤＰＣＣＨ用のＴＰＣコマンドが通信端末へ送信される。このため、通信端末は、上り方向のＡ−ＤＰＣＨの送信電力を下げた場合でも、基地局１からＨＳ−ＤＰＣＣＨの送信電力を上げることを指示するＴＰＣコマンドが送信された場合は、Ａ−ＤＰＣＨの送信電力とは関係なく、上り方向のＨＳ−ＤＰＣＣＨの送信電力を上げる。このようにすることで、Ａ−ＤＰＣＨがＳＨＯ状態にある場合でも、ＨＳ−ＤＰＣＣＨの送信電力が適切に制御され、ＨＳ−ＤＰＣＣＨが接続されている基地局においてＨＳ−ＤＰＣＣＨの受信ＳＩＲを所要ＳＩＲに保つことができる。
【００３７】
次に、図３を用いて、ＨＳ−ＤＰＣＣＨの下り方向の送信電力制御について説明する。Ａ−ＤＰＣＨがＳＨＯ状態になると、通信端末は基地局１に対して、上り方向のＨＳ−ＤＰＣＣＨを介してＨＳ−ＤＰＣＣＨ用のＴＰＣコマンドの送信を開始する。このＴＰＣコマンドに従って、基地局１は、下り方向のＨＳ−ＤＰＣＣＨの送信電力を制御する。
【００３８】
例えば、図３のように、通信端末は、Ａ−ＤＰＣＨについて、基地局１から送信されたＡ−ＤＰＣＨ信号と基地局２から送信されたＡ−ＤＰＣＨ信号とを合成し、その合成した信号の受信ＳＩＲが目標ＳＩＲになるようにＴＰＣコマンドを作成する。そして、同一のＴＰＣコマンドを基地局１および基地局２の双方へ送信する。図３の例では、双方へ送信電力を下げることを指示するＴＰＣコマンドが送信されている。このＴＰＣコマンドに従って、基地局１および基地局２は、下り方向のＡ−ＤＰＣＨの送信電力を下げる。Ａ−ＤＰＣＨがＳＨＯ状態である場合は、通信端末からはＡ−ＤＰＣＨ用のＴＰＣコマンドとは独立してＨＳ−ＤＰＣＣＨ用のＴＰＣコマンドが基地局１へ送信される。このため、基地局１は、下り方向のＡ−ＤＰＣＨの送信電力を下げた場合でも、通信端末からＨＳ−ＤＰＣＣＨの送信電力を上げることを指示するＴＰＣコマンドが送信された場合は、Ａ−ＤＰＣＨの送信電力とは関係なく、下り方向のＨＳ−ＤＰＣＣＨの送信電力を上げる。このようにすることで、Ａ−ＤＰＣＨがＳＨＯ状態にある場合でも、ＨＳ−ＤＰＣＣＨの送信電力が適切に制御され、通信端末においてＨＳ−ＤＰＣＣＨの受信ＳＩＲを所要ＳＩＲに保つことができる。
【００３９】
次に、下り回線を例に挙げ、基地局の送信電力と通信端末の受信ＳＩＲとの関係について図４を用いて説明する。
【００４０】
通信端末は、基地局１から一定電力で送信されるＣＰＩＣＨ（Ｃｏｍｍｏｎ  Ｐｉｌｏｔ  Ｃｈａｎｎｅｌ）信号（ＣＰＩＣＨ１）と、基地局２から一定電力で送信されるＣＰＩＣＨ信号（ＣＰＩＣＨ２）とを常に受信している。
【００４１】
Ａ−ＤＰＣＨのＳＨＯ開始前、すなわち、Ａ−ＤＰＣＨが基地局１とだけ接続されているとき、通信端末が基地局１から基地局２の方へ移動すると、通信端末でのＡ−ＤＰＣＨの受信ＳＩＲ３６０を一定に保つために、基地局１でのＡ−ＤＰＣＨの送信電力３２０が上がる。これに合わせて基地局１でのＨＳ−ＤＰＣＣＨの送信電力３１０も上がる。よって、通信端末でのＨＳ−ＤＰＣＣＨの受信ＳＩＲ３５０も一定に保たれる。
【００４２】
通信端末がさらに基地局２の方へ移動していき、通信端末において、ＣＰＩＣＨ１の受信ＳＩＲとＣＰＩＣＨ２の受信ＳＩＲとの差が例えば３ｄＢになった時点で、Ａ−ＤＰＣＨがＳＨＯ状態となる。このように、通信端末では、ＣＰＩＣＨ１の受信ＳＩＲとＣＰＩＣＨ２の受信ＳＩＲとの差を観測することにより、ＳＨＯの開始とＳＨＯの終了を検出して、Ａ−ＤＰＣＨがＳＨＯ状態にあるか否かを判定することができる。なお、基地局においては、上位レイヤから送られる制御信号、すなわち、制御局からの通知により、Ａ−ＤＰＣＨがＳＨＯ状態にあるか否かを判定することもできる。同様に、通信端末においても、制御局からの通知により、Ａ−ＤＰＣＨがＳＨＯ状態にあるか否かを判定することもできる。
【００４３】
Ａ−ＤＰＣＨがＳＨＯ状態になると、基地局２ともＡ−ＤＰＣＨが接続されるため、基地局２でのＡ−ＤＰＣＨの送信電力３４０の上昇に伴って、基地局１でのＡ−ＤＰＣＨの送信電力３２０は下がる。このとき、通信端末では、基地局１からのＡ−ＤＰＣＨ信号と基地局２からのＡ−ＤＰＣＨ信号とを合成するので、Ａ−ＤＰＣＨの受信ＳＩＲ３６０は一定に保たれる。一方、ＨＳ−ＤＰＣＣＨについては、Ａ−ＤＰＣＨがＳＨＯ状態になると、Ａ−ＤＰＣＨとは独立して、ＨＳ−ＤＰＣＣＨ用のＴＰＣコマンドに従って送信電力制御される。よって、Ａ−ＤＰＣＨがＳＨＯ状態にある場合は、基地局１でのＡ−ＤＰＣＨの送信電力３２０が下がっても、基地局１でのＨＳ−ＤＰＣＣＨの送信電力３１０も上がる。よって、通信端末でのＨＳ−ＤＰＣＣＨの受信ＳＩＲ３５０は、Ａ−ＤＰＣＨがＳＨＯ状態にある場合でも一定に保たれる。
【００４４】
通信端末がさらに基地局２の方へ移動していき、通信端末において、ＣＰＩＣＨ１の受信ＳＩＲがＣＰＩＣＨ２の受信ＳＩＲよりも例えば３ｄＢ低くなった時点で、ＨＳ−ＤＰＣＣＨが基地局２へＨＨＯする。ＨＳ−ＤＰＣＣＨがＨＨＯすると、ＨＳ−ＤＰＣＣＨ用のＴＰＣコマンドは、基地局１に替えて基地局２から送信される。ＨＳ−ＤＰＣＣＨがＨＨＯしても、依然としてＡ−ＤＰＣＨはＳＨＯ状態にあるため、ＨＳ−ＤＰＣＣＨは、Ａ−ＤＰＣＨとは独立して、ＨＳ−ＤＰＣＣＨ用のＴＰＣコマンドに従って送信電力制御される。そして、通信端末がさらに基地局２の方へ移動していくに従って、基地局２でのＨＳ−ＤＰＣＣＨの送信電力３３０は徐々に下がっていく。
【００４５】
通信端末がさらに基地局２の方へ移動していき、通信端末において、ＣＰＩＣＨ１の受信ＳＩＲがＣＰＩＣＨ２の受信ＳＩＲよりも例えば５ｄＢ低くなった時点で、Ａ−ＤＰＣＨのＳＨＯが終了する。つまり、Ａ−ＤＰＣＨが基地局２とだけ接続された状態となる。Ａ−ＤＰＣＨのＳＨＯが終了すると、ＨＳ−ＤＰＣＣＨの送信電力制御は、Ａ−ＤＰＣＣＨ用のＴＰＣコマンドに従って行われる。よって、通信端末がさらに基地局２の方へ移動していき、通信端末でのＡ−ＤＰＣＨの受信ＳＩＲ３６０を一定に保つために基地局２でのＡ−ＤＰＣＨの送信電力３４０が下がると、それに合わせて基地局２でのＨＳ−ＤＰＣＣＨの送信電力３３０も下がる。よって、通信端末でのＨＳ−ＤＰＣＣＨの受信ＳＩＲ３５０も一定に保たれる。
【００４６】
次に、ＨＳ−ＤＰＣＣＨ用のＴＰＣコマンドの送信開始タイミングおよび送信終了タイミングについて図５を用いて説明する。
【００４７】
下り方向のＡ−ＤＰＣＨについては、Ａ−ＤＰＣＨがＳＨＯ状態にあるか否かにかかわらず、１タイムスロット毎に、上り方向のＡ−ＤＰＣＨの送信電力制御に使用されるＴＰＣコマンドおよび下り方向のＡ−ＤＰＣＨのＳＩＲ測定に使用されるパイロットが、基地局から通信端末へ送信される。同様に、上り方向のＡ−ＤＰＣＨについては、Ａ−ＤＰＣＨがＳＨＯ状態にあるか否かにかかわらず、１タイムスロット毎に、下り方向のＡ−ＤＰＣＨの送信電力制御に使用されるＴＰＣコマンドおよび上り方向のＡ−ＤＰＣＨのＳＩＲ測定に使用されるパイロットが、通信端末から基地局へ送信される。
【００４８】
一方、下り方向のＨＳ−ＤＰＣＣＨについては、Ａ−ＤＰＣＨがＳＨＯ状態にある場合だけ、１タイムスロット毎に、上り方向のＨＳ−ＤＰＣＣＨの送信電力制御に使用されるＴＰＣコマンドおよび下り方向のＨＳ−ＤＰＣＣＨのＳＩＲ測定に使用されるパイロットが、基地局から通信端末へ送信される。同様に、上り方向のＨＳ−ＤＰＣＣＨについては、Ａ−ＤＰＣＨがＳＨＯ状態にある場合だけ、１タイムスロット毎に、下り方向のＨＳ−ＤＰＣＣＨの送信電力制御に使用されるＴＰＣコマンドおよび上り方向のＨＳ−ＤＰＣＣＨのＳＩＲ測定に使用されるパイロットが、通信端末から基地局へ送信される。つまり、ＨＳ−ＤＰＣＣＨについては、Ａ−ＤＰＣＨのＳＨＯが開始するとＨＳ−ＤＰＣＣＨ用のＴＰＣコマンドの送信を開始し、Ａ−ＤＰＣＨのＳＨＯが終了するとＨＳ−ＤＰＣＣＨ用のＴＰＣコマンドの送信を終了する。
【００４９】
なお、図５においては、データ、パイロット、ＴＰＣコマンドが時間多重されているが、これらはＩＱ多重されても構わない。
【００５０】
このように、Ａ−ＤＰＣＨのＳＨＯ開始／終了タイミングと、ＨＳ−ＤＰＣＣＨ用のＴＰＣコマンドの送信開始／終了タイミングとを合わせることにより、Ａ−ＤＰＣＨがＳＨＯ状態にない場合には、ＨＳ−ＤＰＣＣＨ用の不要なＴＰＣコマンドを送信しなくて済むため、ＨＳ−ＤＰＣＣＨが他のチャネルに与える干渉を軽減することができる。また、通信端末のバッテリー消費を抑えることができる。また、Ａ−ＤＰＣＨがＳＨＯ状態にある場合は、ＨＳ−ＤＰＣＣＨ用のＴＰＣコマンドをＨＳ−ＤＰＣＣＨを介して毎タイムスロット送信しているため、通信端末が高速移動する場合であってもＨＳ−ＤＰＣＣＨの送信電力制御を精度良く行うことができる。
【００５１】
なお、本実施の形態ではＦａｓｔ−ＵＬを例に挙げて説明したが、これに限られるものではなく、本発明は、ソフトハンドオーバが適用される個別チャネルとハードハンドオーバが適用される個別チャネルとが存在し、ハードハンドオーバが適用される個別チャネルが上下方向に存在する無線通信システムにはすべて適用可能である。
【００５２】
【発明の効果】
以上説明したように、本発明によれば、ＨＳ−ＤＰＣＣＨに対して適切な送信電力制御を行って、ＨＳ−ＤＰＣＣＨの送信電力が過剰にならないようにするとともに、ＨＳ−ＤＰＣＣＨの受信ＳＩＲを所要ＳＩＲに保つことができる。
【図面の簡単な説明】
【図１】本発明の一実施の形態に係る無線通信装置の構成を示すブロック図
【図２】本発明の一実施の形態に係るＨＳ−ＤＰＣＣＨの上り方向の送信電力制御について説明するための図
【図３】本発明の一実施の形態に係るＨＳ−ＤＰＣＣＨの下り方向の送信電力制御について説明するための図
【図４】本発明の一実施の形態に係る基地局の送信電力と通信端末の受信ＳＩＲとの関係を説明するための図
【図５】本発明の一実施の形態に係るＨＳ−ＤＰＣＣＨ用のＴＰＣコマンドの送信開始／終了タイミングを説明するための図
【図６】Ａ−ＤＰＣＨがＳＨＯ状態にない場合の従来の送信電力制御を説明するための図
【図７】従来のＨＳ−ＤＰＣＣＨの上り方向の送信電力制御について説明するための図
【図８】従来のＨＳ−ＤＰＣＣＨの下り方向の送信電力制御について説明するための図
【符号の説明】
１１  ＨＯ判定部
１２  アンテナ
１３  受信無線部
１４  逆拡散部
１５  復調部
１６  復号部
１７  ＴＰＣコマンド抽出部
１８  ＳＩＲ測定部
１９  ＴＰＣコマンド作成部
２０  符号化部
２１  変調部
２２  拡散部
２３  送信無線部
１００  受信部
２００  送信部
【図１】
0003574442.tif 000002
【図２】
0003574442.tif 000003
【図３】
0003574442.tif 000004
【図４】
0003574442.tif 000005
【図５】
0003574442.tif 000006
【図６】
0003574442.tif 000007
【図７】
0003574442.tif 000008
【図８】
0003574442.tif 000009